(57)【特許請求の範囲】
【請求項１】
空のワインボトルの開口部に取り付けてボトル内部を光で照らすライト付きコルクであって、
コルク本体の内部に設けられ、内周半径がボタン電池の外周半径よりも所定の隙間だけ大きい電気伝導性の中空円筒部と、
厚みが前記隙間よりも薄く、且つ、前記ボタン電池の外周側面に装着される電気絶縁性の保持部と、
前記保持部が装着された状態で、前記中空円筒部に収納されるボタン電池と、
前記中空円筒部の下端部に設けられ、一方の電線が前記収納されたボタン電池の下方の電極に電気的に接続され、他方の電線が前記中空円筒部の内周側面に電気的に接続された光源部と、
前記中空円筒部の上端部に設けられ、一方の導線が前記中空円筒部の内周側面に電気的に接続され、他方の導線が前記収納されたボタン電池の上方の電極に電気的に接続される接続部と
を備え、
前記中空円筒部の外周の厚みは、０．１ｍｍ−１．０ｍｍの範囲内であり、
前記隙間は、０．１ｍｍ−１．０ｍｍの範囲内であり、
前記保持部の厚みは、０．０５ｍｍ−０．５０ｍｍの範囲内であることを特徴とするライト付きコルク。
【請求項２】
前記光源部は、ＬＥＤ光源であり、
前記ＬＥＤ光源の下方に設けられ、入射された光を拡散して前記ワインボトルの内部に照射する光拡散レンズ部を更に備える
請求項１に記載のライト付きコルク。
【発明の詳細な説明】
【技術分野】
【０００１】
本発明は、ライト付きコルクに関し、詳しくは、配線数を削減し、構成を簡単することで、小型化及びコストダウンを実現し、発光ユニットをコルク本体に安全に収納することが可能なライト付きコルクに関する。
【背景技術】
【０００２】
空のワインボトル、空の洋酒ボトルは、一般的に、意匠性が高いため、空のワインボトルに光源を入れて、ワインボトル自体を照明器具に利用する試みがなされている。
【０００３】
例えば、実用新案登録第３１５９０００号公報（特許文献１）には、再利用ボルトを有効利用した照明ユニットが開示されている。前記照明ユニットでは、各種の再利用ボトルの開口部の口径に対応可能な逆円錐部を有するユニット本体と、このユニット本体に電池とスイッチング機構と制御基盤等の電気回路を構成した電気構成部材を内蔵する。そして、この電気構成部材の導線を前記ユニット本体の底面より延設して吊下させ、当該吊下させた導線の下端部に光源を設けたことを特徴とする。これにより、再利用ボトルに新たな機能美を付与して、実用的価値を向上させることが出来るとしている。又、構造が簡単であるから、安価に量産に供することが出来るとしている。
【０００４】
又、特開２００２−８３５０１号公報（特許文献２）には、ハウジングの内部に光源を備え、この光源を透明ボトルに装着できるようにした携帯型ライトが開示されている。この携帯型ライトでは、光源は、透明ボトルの内部に向かって照光するよう構成される。これにより、小型で軽量な携帯型ライトを、市販品として容易に入手可能な透明ボトルに装着することで、簡単に簡易ランタンとして利用できるとしている。
【０００５】
又、実用新案登録第３１４９９０１号公報（特許文献３）には、上部に開口部を有する透明な瓶と、前記透明な瓶の内部に設けられる光が屈折又は反射する物体とを備える飾り瓶が開示されている。この飾り瓶は、前記透明な瓶の開口部を覆い、筒および蓋の上面から構成され、底部に通し孔を有しており、前記蓋の上面は前記筒の上方を覆い、前記筒との間に収容空間を形成する。又、前記蓋の上面が外力を受けてねじ込まれたとき、一部が下に向かって変形し、移動する。更に、電源、電気回路、スイッチ、および光源を有しており、前記電気回路に電力を供給し、前記スイッチが前記光源のオン、オフの切り替えを行い、前記収容空間の内部に設けられる照明ユニットを備える。この照明ユニットは、前記光源が発光する光が前記通し孔を通じて下方を照らし、前記スイッチは前記蓋の上面の下方に設けられ、前記蓋の上面が下に向かって変形するのを受けて作動し、前記電源のオン、オフを行う。これにより、蓋の美観を向上させるとともに、瓶の内部の物質の存在により、全体的に極めて優れた装飾効果を有するとしている。
【先行技術文献】
【特許文献】
【０００６】
【特許文献１】実用新案登録第３１５９０００号公報
【特許文献２】特開２００２−８３５０１号公報
【特許文献３】実用新案登録第３１４９９０１号公報
【発明の概要】
【発明が解決しようとする課題】
【０００７】
しかしながら、上述した特許文献１〜３に記載の発明では、電源、電気回路、光源、スイッチの照明ユニットの構成を小型化出来ず、コルク本体に適切に収めることができないという問題がある。又、上述した照明ユニットが複雑であり、嵩張ると、コストダウンに向かず、大量生産し難いという問題がある。
【０００８】
そこで、本発明は、前記問題を解決するためになされたものであり、配線数を削減し、構成を簡単することで、小型化及びコストダウンを実現し、発光ユニットをコルク本体に安全に収納することが可能なライト付きコルクを提供することを目的とする。
【課題を解決するための手段】
【０００９】
本発明者は、鋭意研究を重ねた結果、本発明に係る新規なライト付きコルクを完成させた。
【００１０】
即ち、本発明に係るライト付きコルクは、空のワインボトルの開口部に取り付けてボトル内部を光で照らすライト付きコルクであって、以下の構成を採用する。本発明に係るライト付きコルクは、コルク本体の内部に設けられ、内周半径がボタン電池の外周半径よりも所定の隙間だけ大きい電気伝導性の中空円筒部と、厚みが前記隙間よりも薄く、且つ、前記ボタン電池の外周側面に装着される電気絶縁性の保持部と、前記保持部が装着された状態で、前記中空円筒部に収納されるボタン電池と、前記中空円筒部の下端部に設けられ、一方の電線が前記収納されたボタン電池の下方の電極に電気的に接続され、他方の電線が前記中空円筒部の内周側面に電気的に接続された光源部と、前記中空円筒部の上端部に設けられ、一方の導線が前記中空円筒部の内周側面に電気的に接続され、他方の導線が前記収納されたボタン電池の上方の電極に電気的に接続される接続部とを備え、前記中空円筒部の外周の厚みは、０．１ｍｍ−１．０ｍｍの範囲内であり、前記隙間は、０．１ｍｍ−１．０ｍｍの範囲内であり、前記保持部の厚みは、０．０５ｍｍ−０．５０ｍｍの範囲内であることを特徴とする。
【００１１】
又、前記光源部は、ＬＥＤ光源であり、前記ＬＥＤ光源の下方に設けられ、入射された光を拡散して前記ワインボトルの内部に照射する光拡散レンズ部を更に備える。
【発明の効果】
【００１２】
本発明に係るライト付きコルクによれば、配線数を削減し、構成を簡単することで、小型化及びコストダウンを実現し、発光ユニットをコルク本体に安全に収納することが可能となる。
【図面の簡単な説明】
【００１３】
【図１】本発明に係るライト付きコルクを分解した場合の正面断面図（図１Ａ）と、本発明に係るライト付きコルクを組み立てた場合の正面断面図（図１Ｂ）とである。
【図２】本発明に係るライト付きコルクを分解した場合の第一の斜視図（図２Ａ）と、本発明に係るライト付きコルクを分解した場合の第二の斜視図（図２Ｂ）とである。
【図３】本発明に係るライト付きコルクを組み立てた場合の斜視図（図３Ａ）と、本発明に係るライト付きコルクを空のワインボトルの開口部に装着した場合の斜視図（図３Ｂ）とである。
【図４】本発明に係るライト付きコルクを点灯した場合の斜視図である。
【図５】本発明に係るライト付きコルクをワインボトルに装着して点灯した場合の斜視図である。
【図６】本発明に係るライト付きコルクの保持部を示す平面図、正面図、底面図、Ａ−Ａ線断面図、電池の平面図、正面図（図６Ａ）と、本発明に係るライト付きコルクの保持部の斜視図（図６Ｂ）である。
【図７】本発明に係るライト付きコルクの保持部の平面図、正面図、Ａ−Ａ線断面図、電池の平面図、正面図（図６Ａ）と、本発明に係るライト付きコルクの保持部を電池に装着した場合の斜視図（図６Ｂ）である。
【発明を実施するための形態】
【００１４】
以下に、添付図面を参照して、本発明に係るライト付きコルクの実施形態について説明し、本発明の理解に供する。尚、以下の実施形態は、本発明を具体化した一例であって、本発明の技術的範囲を限定する性格のものではない。
【００１５】
＜ライト付きコルク＞
本発明に係るライト付きコルクは、空のワインボトルの開口部に取り付けてボトル内部を光で照らすライト付きコルク１であって、図１、図２、図３に示すように、コルク本体１０の内部に設けられ、内周半径１２ａが電池１１の外周半径１１ａよりも所定の隙間だけ大きい電気伝導性の中空円筒部１２と、厚み１３ａが前記隙間よりも薄く、且つ、前記電池１１の外周側面に装着される電気絶縁性の保持部１３と、前記保持部１３が装着された状態で、前記中空円筒部１２に収納される電池１１とを備える。
【００１６】
更に、本発明に係るライト付きコルク１は、前記中空円筒部１２の下端部に設けられ、一方の電線１４ａが前記収納された電池１１の下方の電極１１ｂに電気的に接続され、他方の電線１４ｂが前記中空円筒部１２の内周側面（内壁）に電気的に接続された光源部１４と、前記中空円筒部１２の上端部に設けられ、一方の導線１５ａが前記中空円筒部１２の内周側面に電気的に接続され、他方の導線１５ｂが前記収納された電池１１の上方の電極１１ｃに電気的に接続される接続部１５とを備えることを特徴とする。
【００１７】
これにより、前記中空円筒部１２の全体を配線として機能させることで、配線数を減らし、簡単な構成とすることが可能となる。そのため、複雑な配線の半田付け等を不要にし、コストダウンを図ることが可能となる。
【００１８】
又、前記中空円筒部１２の内周半径１２ａを電池１１の外周半径１１ａよりも少し大きくしたことで、当該電池１１を収納するための無駄なスペースを無くし、光を照射するための発光ユニット（電池１１、光源部１４、接続部１５等）を小型化することが可能となる。そのため、コルク本体１０の内部に上述した発光ユニットをコンパクトに収納することが可能となる。
【００１９】
ここで、前記中空円筒部１２を配線として機能させる場合に、内部に収納される電池１１と当該中空円筒部１２との電気的な接触により電気回路のショートが懸念される。しかしながら、本発明では、電気絶縁性の保持部１３を電池１１と中空円筒部１２との間に設けているため、上述したショートの発生を確実に防止することが可能となる。又、前記保持部１３が電池１１の外周側面に装着されることで、当該電池１１を中空円筒部１２へ出し入れする際に、当該中空円筒部１２との電気的な接触を確実に防止し、ユーザに対する安全性を高める。
【００２０】
更に、前記中空円筒部１２をコルク本体１０の内部に設けることで、当該コルク本体１０が電気絶縁性の保護層として機能する。そのため、前記中空円筒部１２を配線として利用しても、ユーザがコルク本体１０を触って感電することが無く、安全である。
【００２１】
又、上述した発光ユニットをコルク本体１０に全て内蔵させているため、図４に示すように、あたかもコルク栓が光っているようにユーザに見せることが可能となり、ユーザに驚きや興味を与えることが可能となる。
【００２２】
そして、本発明に係るライト付きコルク１を空のワインボトルの開口部に取り付けて内部を発光すると、図５に示すように、ワインボトル全体が幻想的に照明し、ワインボトル全体を照明器具として利用することが可能となる。ここで、上述した発光ユニットをコルク本体１０に全て内蔵させていることから、ワインボトルの内部に多種多様の装飾物を入れることが可能である。そのため、図５に示すように、ユーザが、希望する花、宝玉、鉱石、水等の装飾物をワインボトルの内部に入れることで、入れた装飾物に応じた外観の照明器具を作製することが可能となる。つまり、ユーザは、自分好みの照明器具を簡単に作製することが可能となるのである。
【００２３】
ここで、前記隙間は、本発明の目的を阻害しない限り、特に限定は無い。例えば、前記隙間は、０．１ｍｍ−１．０ｍｍの範囲内であると好ましい。このように構成すると、前記保持部１３の厚みを、例えば、０．０５−０．５０ｍｍの範囲内に設計して、ユーザが、当該保持部１３が装着された電池１１を前記中空円筒部１２に無理なく出し入れすることが可能となる。
【００２４】
又、前記中空円筒部１２の長手方向の長さは、本発明の目的を阻害しない限り、特に限定は無い。例えば、図１に示すように、前記中空円筒部１２の長手方向の長さは、電池１１の長手方向の長さよりも長く、且つ、コルク本体１０の長手方向の長さに対応させる。このように構成すると、内周半径が前記中空円筒部１２の外周半径と同等である貫通孔をコルク本体１０の中央に長手方向に沿って開口し、その貫通孔に上述した中空円筒部１２を装着すればよいので、組立が簡単になる。
【００２５】
又、前記中空円筒部１２の形状は、本発明の目的を阻害しない限り、特に限定は無い。例えば、図１、図２、図３に示すように、前記中空円筒部１２の形状は、電池１１の形状に対応して円筒形状が好ましい。
【００２６】
又、前記中空円筒部１２の外周の厚み（肉厚）は、本発明の目的を阻害しない限り、特に限定は無い。例えば、前記厚みは、０．１ｍｍ−１．０ｍｍの範囲内であると好ましい。このように構成すると、製造が容易になるとともに、前記中空円筒部１２を更に小型化出来る。
【００２７】
又、前記中空円筒部１２の材質は、本発明の目的を阻害しない限り、特に限定は無い。例えば、前記中空円筒部１２の材質は、アルミ、ステンレス、銅、導電性プラスチック等が挙げられる。
【００２８】
又、前記保持部１３の形状は、本発明の目的を阻害しない限り、特に限定は無い。例えば、図６に示すように、厚み１３ａが前記隙間よりも薄く、長手方向の長さ１３ｂが電池１１の長手方向の長さ１１ｄに対応し、内径１３ｃが電池１１の外周半径１１ａと同等である電気絶縁性の円筒形状とし、内部に収納される電池１１の凸状の電極（ここでは、下方の電極１１ｂ）に対向する下端部に、当該凸状の電極１１ｂのみが露出可能な円環状のフランジ１３ｄを有する。このように構成すると、前記保持部１３の長手方向の長さ１３ｂが電池１１の長手方向の長さ１１ｄに対応するため、電池１１の下方の電極１１ｂと上方の電極１１ｃとを確実に露出させるとともに、電池１１の外周側面におけるショートの発生を確実に防止することが可能となる。又、前記フランジ１３ｄが存在することで、ユーザが、電池１１の電極１１ｂの収納方向を意識して、電池１１の凸状の電極１１ｂを前記保持部１３のフランジ１３ｄに対応して入れることが可能となる。
【００２９】
更に、前記電池１１が、所定数（例えば、３つ）のボタン電池を直列に配置させた電池郡である場合、上述の保持部１３の形状は特に好ましい。このように構成すると、前記保持部１３のフランジ１３ｄにより、所定数のボタン電池をあたかも一つの電池として取り扱うことが可能となり、ユーザは、当該電池１１の出し入れ、交換を容易に行え、更に、上述したショートの発生も防止できる。
【００３０】
尚、図６に示す保持部１３の場合、前記フランジ１３ｄの円環の内周半径１３ｅは、前記電池１１の凸状の電極１１ｂの外周半径１１ｅと同等に設定される。又、前記保持部１３の内径１３ｃが電池１１の外周半径１１ａと同等であるとは、前記保持部１３の内径１３ｃが電池１１の外周半径１１ａと同一かやや大きいことを意味する。
【００３１】
又、前記保持部１３の形状は、他の形状でも良く、例えば、図７に示すように、厚み１３ａが前記隙間よりも薄く、且つ、長手方向の長さ１３ｂが電池１１の長手方向の長さ１１ｄに対応する電気絶縁性の板を前記電池１１の外周側面に沿って湾曲させて、長手方向の断面を前記電池１１の外周半径１１ａよりも小さい内周半径１３ｃを有するＣ型形状とする。このように構成すると、上述のように、電池１１の下方の電極１１ｂと上方の電極１１ｃとを確実に露出させ、電池１１の外周側面におけるショートの発生を確実に防止することが可能となる。又、前記保持部１３のＣ型形状の内周半径１３ｃが前記電池１１の外周半径１１ａよりも小さいため、当該保持部１３が電池１１を強固に挟み込み、前記保持部１３から電池１１が外れることがなく、安全である。更に、前記保持部１３を円筒形状とせず、Ｃ型形状とすることで、当該保持部１３の両端部１３ｆ、１３ｇ（右側端部１３ｆ、左側端部１３ｇ）を開口部として電池１１の外周側面に装着し易くなる。又、前記電池１１が、所定数のボタン電池を直列に配置させた電池郡である場合、上述と同様に、前記保持部１３が所定数の電池１１を強固に挟み込むため、所定数のボタン電池をあたかも一つの電池として取り扱うことが可能となる。
【００３２】
尚、前記保持部１３のＣ型形状の内周半径１３ｃと前記電池１１の外周半径１１ａとの間隔（差）は、本発明の目的を阻害しない限り、特に限定は無い。例えば、前記間隔は、０．１ｍｍ−１．０ｍｍの範囲内であると好ましい。このように構成すると、前記保持部１３を電池１１の外周側面に無理なく装着させることが可能となる。
【００３３】
又、前記保持部１３の両端部１３ｆ、１３ｇの間隔は、本発明の目的を阻害しない限り、特に限定は無い。例えば、前記間隔は、０．１ｍｍ−１．０ｍｍの範囲内であると好ましい。このように構成すると、前記電池１１の外周側面と中空円筒部１２の内周側面との電気的接触を確実に防止出来る。
【００３４】
又、前記保持部１３の材質は、本発明の目的を阻害しない限り、特に限定は無い。例えば、電気絶縁性のプラスチック、樹脂、ゴム等の可撓性部材又は弾性部材が挙げられる。これにより、ユーザの扱いにより、前記保持部１３の形状を変形出来るので、電池１１の外周側面に装着し易くなる。
【００３５】
又、前記電池１２は、本発明の目的を阻害しない限り、特に限定は無い。例えば、前記電池１２は、乾電池よりも薄型で軽量のボタン電池が好ましい。ここで、一つのボタン電池では、光源部１４への電力が少なく、長時間利用が出来ないため、例えば、図１、図６、図７に示すように、所定数のボタン電池を直列に配置させた電池郡を一つの電池として利用すると良い。この場合は、光源部１４への電力が十分となり、長時間利用が可能となる。
【００３６】
又、前記光源部１４は、本発明の目的を阻害しない限り、特に限定は無い。例えば、白色、赤色、緑色、青色等のＬＥＤ光源が採用されるが、電球であっても構わない。
【００３７】
又、本発明では、図１に示すように、ユーザの操作により、前記接続部１５の一方の導線１５ａと他方の導線１５ｂとを電気的に着脱するスイッチ部１６を更に備える。これにより、ユーザの操作に応じて、前記光源部１４の点灯と消灯を制御することが可能となる。
【００３８】
ここで、前記スイッチ部１６は、本発明の目的を阻害しない限り、特に限定は無い。例えば、ノック式のスイッチ部１６が採用される。このノック式のスイッチ部１６では、ユーザが、前記スイッチ部１６を下方へ一度押圧すると、当該スイッチ部１６が一方の導線１５ａと他方の導線１５ｂとを電気的に接続し、ユーザが、再度、前記スイッチ部１６を下方へ押圧すると、当該スイッチ部１６が一方の導線１５ａと他方の導線１５ｂとを電気的に切断する。
【００３９】
又、本発明では、図１に示すように、前記光源部１４の下方に設けられ、入射された光を拡散して出射する光拡散レンズ部１７を更に備える。これにより、ワインボトルの内部に照射される光源部１４の光を拡散してワインボトルの内部に照射するため、照明器具としての照度を向上させる。
【００４０】
又、本発明では、図１に示すように、前記中空円筒部１２の上端部に装着され、前記接続部１５を内蔵する蓋部１８を更に備え、当該蓋部１８の下端部の外周側面に電気伝導性の雄螺子部１８ａを設け、当該雄螺子部１８ａに前記接続部１５の一方の導線１５ａを電気的に接続し、前記中空円筒部１２の上端部の内周側面に電気伝導性の雌螺子部１２ｂを設ける。又、前記蓋部１８の下面から前記接続部１５の他方の導線１５ｂを突出させる。これにより、前記蓋部１８の雄螺子部１８ａと前記中空円筒部１２の雌螺子部１２ｂとを螺着させると、前記接続部１５の一方の導線１５ａと前記中空円筒部１２の内周側面との電気的接続を確実にする。又、前記蓋部１８の取り外しにより、前記中空円筒部１２に収納される電池１１の出し入れを可能とする。
【００４１】
又、本発明では、図１に示すように、前記光源部１４の上面（前記中空円筒部１２の下面）に電気絶縁性の下面装着部１９を更に備え、当該下面装着部１９の中央から光源部１４の一方の電線１４ａを突出させる。これにより、前記収納された電池１１の下方の電極１１ｂと光源部１４の一方の電線１４ａとの電気的接続を確実にし、ショートの発生を防止する。
【００４２】
尚、前記下面装着部１９の形状は、例えば、前記中空円筒部１２の内部に向かって膨出した半円形状とする。前記光源部１４の一方の電線１４ａは、例えば、金属製の棒を半円に湾曲させた形状とし、前記下面装着部１９の天井から上方に向かって突出させる。
【００４３】
又、本発明では、図１に示すように、前記接続部１５の下面（前記中空円筒部１２の上面、前記蓋部１８の下端部）に電気絶縁性の上面装着部２０を更に備え、当該上面装着部２０の中央から前記接続部１５の他方の導線１５ｂを突出させる。これにより、上述と同様に、前記収納された電池１１の上方の電極１１ａと接続部１５の他方の導線１５ｂとの電気的接続を確実にし、ショートの発生を防止する。
【００４４】
尚、前記上面装着部２０の形状は、例えば、円筒形状とし、前記接続部１５の他方の導線１５ｂは、例えば、図２に示すように、金属製棒のコイルバネ形状とし、前記上面装着部２０の中央から下方に向かって突出させる。ここで、前記接続部１５の他方の導線１５ｂをコイルバネ形状とすることで、内部に収納された電池１１を固定することが可能となる。
【００４５】
又、本発明では、前記光源部１４の点灯を制御する電気回路部２１を更に備えて、例えば、光源部１４の点灯を、常時点灯させたり、所定間隔で点滅させたり、ゆっくり点滅させたりするよう構成しても良い。
【００４６】
このように、本発明に係るライト付きコルク１は、上述した中空円筒部１２と、保持部１３と、電池１１と、光源部１４と、接続部１５とを備えることを特徴とする。
【００４７】
これにより、配線数を削減し、構成を簡単にすることで、小型化及びコストダウンを実現し、発光ユニットをコルク本体に安全に収納することが可能となる。
【００４８】
又、本発明は、ライト付きコルク１一つで、ユーザが空のワインボトルを用意すれば、簡単に自分好みの照明器具を作製することが出来るため、プレゼントには最適である。更に、本発明に係るライト付きコルク１は、コルクが装着可能なワインボトルであれば、どのようなワインボトルでも適用出来るため、ワインボトルの再利用には最適である。
【産業上の利用可能性】
【００４９】
以上のように、本発明に係るライト付きコルクは、空のワインボトルを照明器具に変えるライト付きコルクとして有用である。つまり、本発明に係るライト付きコルクは、配線数を削減し、構成を簡単することで、小型化及びコストダウンを実現し、発光ユニットをコルク本体に安全に収納することが可能なライト付きコルクとして有効である。
【符号の説明】
【００５０】
１  ライト付きコルク
１０  コルク本体
１１  電池
１２  中空円筒部
１３  保持部
１４  光源部
１５  接続部
１６  スイッチ部
１７  光拡散レンズ部
１８  蓋部
１９  下面装着部
２０  上面装着部
２１  電気回路部
【要約】
【課題】配線数を削減し、構成を簡単することで、小型化及びコストダウンを実現し、発光ユニットをコルク本体に安全に収納することが可能なライト付きコルクを提供する。
【解決手段】内周半径１２ａが電池１１の外周半径１１ａよりも所定の隙間だけ大きい電気伝導性の中空円筒部１２と、厚み１３ａが前記隙間よりも薄く、且つ、前記電池１１の外周側面に装着される電気絶縁性の保持部１３と、一方の電線１４ａが前記収納された電池１１の下方の電極１１ｂに電気的に接続され、他方の電線１４ｂが前記中空円筒部１２の内周側面に電気的に接続された光源部１４と、一方の導線１５ａが前記中空円筒部１２の内周側面に電気的に接続され、他方の導線１５ｂが前記収納された電池１１の上方の電極１１ｃに電気的に接続される接続部１５とを備えることを特徴とするライト付きコルク１。
【選択図】図１【図１】
0005561685.tif 000002
【図２】
0005561685.tif 000003
【図３】
0005561685.tif 000004
【図４】
0005561685.tif 000005
【図５】
0005561685.tif 000006
【図６】
0005561685.tif 000007
【図７】
0005561685.tif 000008